(57)【要約】【課題】本発明の課題は、脱衣室側から簡単に障子の取り外しができる浴室用引戸の提供することである。【解決手段】障子３が下枠５と上枠７とを走行して開閉する浴室用引戸１において、上枠７は障子３の下方に開口する溝５５と、溝内に障子３の移動を案内する上レール１５とを備え、障子３は上レール１５に係合して障子３の移動を案内する走行ガイド９を備え、走行ガイド９は脱衣室側面に設けた操作部材４７の操作により障子３の上端から突設して上レール１５に係合する係止位置と、下方に移動して上レール１５との係合が外れる離脱位置との間を移動自在であり、上枠７は脱衣室側の溝壁１７の下端が縦框１１の上端よりも上方に位置するように設けた。【選択図】  図１
2005009076.tif 000002
【特許請求の範囲】
【請求項１】
障子が下枠と上枠とを走行して開閉する浴室用引戸において、上枠は障子の下方に開口する溝と、溝内に障子の移動を案内する上レールとを備え、障子は上レールに係合して障子の移動を案内する走行ガイドを備え、走行ガイドは脱衣室側面に設けた操作部材の操作により障子の上端から突設して上レールに係合する係止位置と、下方に移動して上レールとの係合が外れる離脱位置との間を移動自在であり、上枠は脱衣室側の溝壁の下端が縦框の上端よりも上方に位置することを特徴とする浴室用引戸。
【請求項２】
走行ガイドはばねにより上方に付勢してあり、操作部材をばねの付勢力に抗して下方に引き下げることにより、走行ガイドを下方に移動して上レールとの係合を外すことを特徴とする請求項１に記載の浴室用引戸。
【請求項３】
下枠は障子の走行方向に設けた溝と、溝に脱着自在に取り付けた下レールとを備え、下レールは、上面がフラットで且つ下枠上端と略同じ高さの戸車走行部を備えていることを特徴とする請求項１又は２に記載の浴室用引戸。
【請求項４】
戸車走行部の幅は下枠の溝幅の半分以上あることを特徴とする請求項３に記載の浴室用引戸。
【発明の詳細な説明】
【０００１】
【発明の属する技術分野】
本発明は、浴室に設置される浴室用引戸に関する。
【０００２】
【従来の技術】
一般に、引戸は、特許文献１に記載の従来技術のように、上枠と下枠とに設けられた溝内に障子の移動を案内するレールを設け、障子が上下のレールを移動するようになっている。
【０００３】
【特許文献１】
特開平９−２１２６７号公報
【０００４】
【発明が解決しようとする課題】
しかし、かかる引戸を浴室への出入り口に設置した場合において、浴室の利用者が急病等で倒れてそのまま障子に寄り掛かった場合には、障子を引いて開けるか又はけんどん式で障子を取り外して救助することが考えられる。障子を引いて開ける場合には、障子に人が寄り掛かっているため障子が開け難く、また無理やり動かすことになるので望ましくない。一方、けんどん式で障子を取り外す場合には、一旦障子の下端を下枠のレールから脱線させる必要があるので、取り外しにくいという問題がある。
【０００５】
そこで、脱衣室側から簡単に障子の取り外しができる浴室用引戸が望まれている。
【０００６】
本発明は、上述した事情に鑑みなされたもので、脱衣室側から簡単に障子の取り外しができる浴室用引戸の提供を目的とする。
【０００７】
【課題を解決するための手段】
上記目的を達成するために、請求項１に記載の発明は、障子が下枠と上枠とを走行して開閉する浴室用引戸において、上枠は障子の下方に開口する溝と、溝内に障子の移動を案内する上レールとを備え、障子は上レールに係合して障子の移動を案内する走行ガイドを備え、走行ガイドは脱衣室側面に設けた操作部材の操作により障子の上端から突設して上レールに係合する係止位置と、下方に移動して上レールとの係合が外れる離脱位置との間を移動自在であり、上枠は脱衣室側の溝壁の下端が縦框の上端よりも上方に位置することを特徴とする。
【０００８】
この請求項１に記載の発明では、障子を上下枠から取り外す際には、脱衣室側面に設けた操作部材の操作により、走行ガイドと上レールとの係合を外し、障子の上端が脱衣室側に倒れるように障子を斜めにし、障子を上方に持ち上げて障子を取り外す。
【０００９】
上枠の脱衣室側の溝壁の下端が縦框の上端よりも上方に位置しているので、走行ガイドと上レールとの係合を外して、容易に障子を脱衣室側に倒すことができ、脱衣室側から簡単に障子の取り外しができる。
【００１０】
走行ガイドが上レールに係合自在なので、走行ガイドと上レールとの係合を外すことで、障子の上端を脱衣室側に斜めに倒してそのまま取り外すことができ、けんどん式のように一旦、障子を垂直に持ち上げて、障子の下端と下枠との係合を外す必要がなく、障子の取り外しが簡単である。
【００１１】
請求項２に記載の発明は、請求項１に記載の発明において、走行ガイドはばねにより上方に付勢してあり、操作部材をばねの付勢力に抗して下方に引き下げることにより、走行ガイドを下方に移動して上レールとの係合を外すことを特徴とする。
【００１２】
この請求項２に記載の発明によれば、請求項１に記載の発明と同様な作用効果を奏するとともに、ばねの付勢力に抗して操作部材を下方に下げるだけで、走行ガイドと上レールとの係合が外れるので、操作が簡単である。
【００１３】
請求項３に記載の発明は、請求項１又は２に記載の発明において、下枠は障子の走行方向に設けた溝と、溝に脱着自在に取り付けた下レールとを備え、下レールは、上面がフラットで且つ下枠上端と略同じ高さの戸車走行部を備えていることを特徴とする。
【００１４】
この請求項３に記載の発明では、請求項１又は２に記載の発明と同様な作用効果を奏するとともに、下レールの戸車走行部は下枠上端と略同じ高さで且つ上面がフラットであるから、障子を枠から取り外す場合において、走行ガイドと上レールとの係合を外し、障子の上端を脱衣室側に斜めに倒した状態から、障子を脱衣室側に向けて水平にスライドさせることができ、障子を上方に持ち上げて取り外す必要がなく、取り外しが簡単である。
【００１５】
また、障子を枠に取り付ける場合は、脱衣室側から障子を下枠上端に沿って水平にスライドさせて、障子の下端を溝に落とし込むことで、障子を下レールに係合させることができ、障子の取り付けが簡単である。
【００１６】
請求項４に記載の発明は、請求項３に記載の発明において、戸車走行部の幅は下枠の溝幅の半分以上あることを特徴とする。
【００１７】
この請求項４に記載の発明では、請求項３に記載の作用効果を奏するとともに戸車走行部の幅が広いので、障子の下端が下レールに係合した際の接触面積を多くでき、走行ガイドと上レールとの係合を外した場合でも、脱衣室側に急に倒れかかることがなく、障子を安全に取り外すことができる。
【００１８】
【発明の実施の形態】
以下に、添付図面を参照して本発明の実施の形態を詳細に説明するが、まず、図１〜図６を参照して本発明の第１実施の形態を説明する。図１は図３にかかる浴室用引戸の一部を示す図であり、（ａ）は走行ガイドと上レールとの係合が外れた状態を示す縦断面図、（ｂ）は走行ガイドが上レールに係合した状態を示す縦断面図である。図２は図６に示す浴室用引戸の一部を示す図であり、（ａ）は走行ガイドが上レールに係合した状態を示す正面図、（ｂ）は走行ガイドと上レールとの係合が外れた状態を示す正面図である。図３は本発明の実施形態にかかる浴室用引戸の縦断面図であり、一点鎖線で抜き出して示す図は下枠を拡大して示す断面図である。図４は図６に示す浴室用引戸の横断面図であり、図５は図３に示す走行ガイドと障子の縦框との取り付け状態を分解して示す斜視図であり、図６は本発明の実施の形態にかかる浴室用引戸の正面図である。
【００１９】
本実施の形態にかかる浴室用引戸１は、浴室用の出入り口に用いられる片引き戸であり、障子３は下枠５を戸車４が走行し且つ上枠７を走行ガイド９が走行して開閉するようになっている。また、浴室用引戸１は、下枠５が脱衣室の床面及び浴室の床面に対して段差のないバリアフリーになっている。
【００２０】
障子３の戸先側縦框１１の脱衣室側及び浴室側の側面には、上下方向に沿って突設部材３ａが設けられており、この突設部材３ａに指を掛けることで容易に障子３の開閉ができるようになっている。
【００２１】
上枠７は、障子３が閉位置から開位置に至る障子３の走行方向に沿って連続しており、下方に断面略コ字形状に開口する溝１３を備えている。上枠７の溝内には溝１３の上面内壁から垂直に突設した上レール１５が設けられており、その下端１６は上枠７の脱衣室側の溝壁１７の下端１８とほぼ同じ位置まで延びている。
【００２２】
上枠７の脱衣室側の溝壁１７は、浴室側の溝壁１９よりも上下寸法が小さくなっており、且つ障子３の縦框１１の上端１２よりも上方に位置するようになっている（図１（ａ）のＷで示す）。また、上枠７の浴室側の溝壁１９には、防水部材２１の取付溝２３が形成されている。防水部材２１は樹脂製であり、取付溝２３に装着されて先端が障子３の上部の浴室側側面に当接するようになっている。
【００２３】
走行ガイド９は、略直方体形状且つ樹脂製であり、略コ字状の開口を有する被係合部２５を上にして縦框１１の上部に配置されている。そして、被係合部２５が上枠７の上レール１５に係合するようになっている。また、走行ガイド９と上レール１５との係合状態において、走行ガイド９の上端１８は上レール１５の下端１６から所定距離（図１（ｂ）のＨで示す）だけ上方に位置するようになっている。
【００２４】
尚、被係合部２５の上端部の開口幅は、下端部の開口幅よりも幅狭になっており、障子３が上レール１５を移動する際に前後にぶれないようになっている。
【００２５】
また、走行ガイド９の側面の略中央には、ねじ孔２７が形成されており、ねじ孔２７には走行ガイド９を縦框１１に固定する際の操作部材２９がねじ固定されるようになっている。一方、障子３の縦框１１上部の脱衣室側側面には、ねじ孔２７に対応する位置に長孔３１が形成されており、操作部材２９は長孔３１の上方位置（係止位置）３１ｂと下方位置（離脱位置）３１ａとで障子３に係止されるようになっている。
【００２６】
下枠５は、障子３が閉位置から開位置に至る障子３の走行部に沿って連続しており、開口部側には補助下枠５３が取り付けられている。
【００２７】
下枠５は障子３の走行方向に沿って設けた溝５５と、溝５５に脱着自在に取り付けた下レール５７とを備えており、下枠５の溝５５を清掃するときには、下レール５７を取り除いて清掃できるので、清掃がし易くなっている。
【００２８】
下枠５の溝５５は断面略コ字形状であり、浴室側と脱衣室側の溝壁５９ａ，５９ｂには防水部材２１の取付溝２３が形成されており、防水部材２１はそれぞれ取付溝２３に装着されて先端が障子３の下端部の側面に当接するようになっている。
【００２９】
下レール５７は、断面略コ字形状であり、コ字の開口を下にして配置されており、上面の戸車走行部６１と、戸車走行部６１から下方に突設した一方及び他方の脚部６３、６５とから構成されている。
【００３０】
戸車走行部６１は上面がフラットで且つ下枠上端と略同じ高さとなっており、浴室の出入りにおいて、人が素足の足裏で下枠５を踏みつけて通った場合に違和感が少ない。
【００３１】
戸車走行部６１の幅Ｂは下枠５の溝幅Ａの半分以上の寸法を有している。一方の脚部６３は戸車走行部６１の脱衣室側端部から下方に延出しており、他方の脚部６５は浴室側端部から下方に延出している。一方及び他方の脚部６３、６５の下端は溝底５９ｃに当接して、障子３の荷重を受けている。
【００３２】
次に、第１実施の形態にかかる浴室用引戸１の作用について説明する。走行ガイド９を組み付けた障子３を上下枠５、７に取り付ける場合には、障子３の上端が脱衣室側に傾斜するようにして障子３の下端を下枠５の溝に係止し、障子３を起こして垂直に立てる。そして、操作部材２９を長孔３１の下方位置３１ａから上方位置３１ｂに引き上げて、走行ガイド９を上レール１５に係合させ、操作部材２９のネジを締め付けることで、障子３を上下枠５、７に取り付ける。
【００３３】
障子３を垂直に立てたときに、障子３の上部の浴室側側面が上枠７の浴室側の溝壁１９に当接するので、障子３が浴室側に倒れず、障子３を上レール１５に係合する際の操作性が良い。
【００３４】
一方、障子３を上下枠５、７から取り外す際には、操作部材２９のネジを緩め、操作部材２９を長孔３１の上方位置３１ｂから下方位置３１ａに引き下げて、走行ガイド９と上レール１５との係合を外す。そして、障子３の上端が脱衣室側に倒れるように障子３を斜めにし、障子３を上方に持ち上げて障子３を取り外すことができる。
【００３５】
上枠７の脱衣室側の溝壁１７の下端１８が縦框１１の上端１２よりも上方に位置しており且つ走行ガイド９が上レール１５に係合自在なので、走行ガイド９と上レール１５との係合を外すだけで、障子３を脱衣室側に倒すことができ、けんどん方式のように一旦、障子３を垂直に持ち上げて、障子３の下端と下枠５との係合を外す必要がなく、取り外しが簡単である。
【００３６】
下枠５の戸車走行部６１の幅が広いので、障子３の下端が下レール５７に係合した際の接触面積を多くとることができ、走行ガイド９と上レール１５との係合を外した場合でも、脱衣室側に急に倒れかかることがなく、障子３を安全に取り外すことができる。
【００３７】
例えば、利用者が浴室内で倒れて障子３にもたれ掛かった場合であっても、第三者（例えば家族の者）が脱衣室側から操作部材２９を引き下げて、走行ガイド９と上レール１５との係合を外してから、障子３の上端をゆっくり脱衣室側に倒すことで、利用者を必要以上に動かすことがなく、適切な対応を取ることができる。さらに、下枠５には段差がないので、利用者を浴室側と脱衣室側との間に跨がって寝かせることができ、利用者を動かさずに、その場で適切な処置ができる。
【００３８】
また、下レール５７の戸車走行部６１は下枠上端と略同じ高さで且つ上面がフラットであるから、障子３を枠から取り外す場合には、走行ガイド９と上レール１５との係合を外し、障子３の上端を脱衣室側に斜めに倒した状態から、障子３を脱衣室側に向けて水平にスライドさせることができ、下枠５に段差がある場合のように障子３を上方に持ち上げて取り外す必要がなく、取り外しが簡単である。
【００３９】
一方、障子３を枠に取り付ける場合は、障子３を下枠上端に沿って水平にスライドさせて、障子３の下端を溝に落とし込むことで、障子３を下レール５７に係合させることができ、障子３の取り付けが簡単である。
【００４０】
次に、図７及び図８を参照して本発明の他の実施形態を説明するが、以下に説明する実施の形態において、上述した実施の形態と同一の作用効果を奏する部分には同一の符号を付することにより、その部分の詳細な説明を省略し、上述した実施の形態と主に異なる点を説明する。図７は第２実施の形態にかかる走行ガイドと障子の縦框との取り付け状態を分解して示す斜視図であり、図８は第２実施の形態にかかる浴室用引戸の一部を示す図であり、（ａ）は走行ガイドが上レールに係合した状態を示す正面図である。（ｂ）は走行ガイドと上レールとの係合が外れた状態を示す正面図である。
【００４１】
第２実施の形態では、図７に示すように、走行ガイド９には下方に垂下して設けられた軸３３と、軸３３に巻き付けられたばね３５とを備え、障子３の縦框１１に取り付けられた収納ホルダ３７内に収納されるようになっており、ばね３５の付勢力を利用して上レール１５との脱着を行っている。
【００４２】
走行ガイド９の軸３３の先端は半径方向に向けて張り出した係止爪４１となっており、係止爪４１が収納ホルダ３７の軸孔３９に嵌合し、収納ホルダ３７の軸孔３９から軸３３が抜けるのを防止している。さらに、走行ガイド９の脱衣室側の側面には操作部材４７を装着するための装着孔４３が形成されている。
【００４３】
収納ホルダ３７は上部が開口した箱型形状かつ樹脂製であり、収納ホルダ３７の一方側（脱衣室側）の側面には操作部材４７が上下動するための長孔４５が形成されている。一方、縦框１１にも長孔４５に対応する位置に長孔４６が形成されている。また、収納ホルダ３７の底面には軸３３が上下動可能な軸孔３９が形成されている。
【００４４】
走行ガイド９の装着孔４３に装着される操作部材４７は、板状の部材からなり、操作部材４７の脱衣室側の側面には、走行ガイド９を上下動する操作つまみ４９が設けられている。また、操作部材４７の浴室側の側面には、一対の係止片５１が突出しており、係止片５１が走行ガイド９の装着孔４３に係止することで、操作部材４７が走行ガイド９に装着されるようになっている。
【００４５】
この第２実施の形態において、障子３が枠に取り付けられた状態では、図８（ａ）に示すように、走行ガイド９が縦框１１の上端１２から突出して、上枠５の上レール１５に係合している。このとき、走行ガイド９の軸３３の先端に形成した係止爪４１が収納ホルダ３７の軸孔３９に係止されるので、ばね３５の付勢力により走行ガイド９が所定の位置より上方に移動するのを規制している。
【００４６】
一方、障子３を枠から取り外す場合には、図８（ｂ）に示すように、縦框１１の上部に取り付けられた操作つまみ４９を下方に引き下げることにより、走行ガイド９を下方に移動して上レール１５との係合を外して、障子３を脱衣室側に倒してから障子３を枠から取り外す。
【００４７】
第２実施の形態では、ばね３５の付勢力に抗して操作部材４７を下方に下げるだけで、走行ガイド９と上レール１５との係合が外れるので、脱着が簡単である。
【００４８】
本発明は、上述した実施の形態に限定されず、本発明の要旨を逸脱しない範囲で種々変形可能である。
【００４９】
例えば、操作部材２９、４７は縦框１１の脱衣室側側面に設けるようにしたが、浴室側側面に設けても良い。
【００５０】
第２実施の形態において、走行ガイド９は操作部材４７を下方に引き下げることで、上レール１５との係合を外すようにしたが、ボタンの押圧でばね３５が下方に引き下がるような構成であってもよい。
【００５１】
本実施の形態にかかる浴室用の引戸１は、片引き戸としたが引違い戸であっても良い。
【００５２】
【発明の効果】
請求項１に記載の発明によれば、上枠の脱衣室側の溝壁の下端が縦框の上端よりも上方に位置しているので、走行ガイドと上レールとの係合を外して、容易に障子を脱衣室側に倒すことができ、脱衣室側から簡単に障子の取り外しができる。
【００５３】
走行ガイドが上レールに係合自在なので、走行ガイドと上レールとの係合を外すことで、障子の上端を脱衣室側に斜めに倒してそのまま取り外すことができ、けんどん式のように一旦、障子を垂直に持ち上げて、障子の下端と下枠との係合を外す必要がなく、障子の取り外しが簡単である。
【００５４】
請求項２に記載の発明によれば、請求項１に記載の発明と同様な効果を奏するとともに、ばねの付勢力に抗して操作部材を下方に下げるだけで、走行ガイドと上レールとの係合が外れるので、操作が簡単である。
【００５５】
請求項３に記載の発明では、請求項１又は２に記載の発明と同様な作用効果を奏するとともに、下レールの戸車走行部は下枠上端と略同じ高さで且つ上面がフラットであるから、障子を枠から取り外す場合において、走行ガイドと上レールとの係合を外し、障子の上端を脱衣室側に斜めに倒した状態から、障子を脱衣室側に向けて水平にスライドさせることができ、障子を上方に持ち上げて取り外す必要がなく、取り外しが簡単である。
【００５６】
また、障子を枠に取り付ける場合は、脱衣室側から障子を下枠上端に沿って水平にスライドさせて、障子の下端を溝に落とし込むことで、障子を下レールに係合させることができ、障子の取り付けが簡単である。
【００５７】
請求項４に記載の発明では、請求項３に記載の発明と同様な効果を奏するとともに、戸車走行部の幅が広いので、障子の下端が下レールに係合した際の接触面積を多く取ることができ、走行ガイドと上レールとの係合を外した場合でも、脱衣室側に急に倒れかかることがなく、障子を安全に取り外すことができる。
【図面の簡単な説明】
【図１】図３にかかる浴室用引戸の一部を示す図であり、（ａ）は走行ガイドとレールとの係合が外れた状態を示す縦断面図、（ｂ）は走行ガイドがレールに係合した状態を示す縦断面図である。
【図２】図６に示す浴室用引戸の一部を示す図であり、（ａ）は走行ガイドがレールに係合した状態を示す正面図（ｂ）は走行ガイドとレールとの係合が外れた状態を示す正面図である。
【図３】本発明の実施形態にかかる浴室用引戸の縦断面図であり、一点鎖線で抜き出して示す図は下枠を拡大して示す断面図である。
【図４】図６に示す浴室用引戸の横断面図である。
【図５】図３に示す走行ガイドと障子の縦框との取り付け状態を分解して示す斜視図である。
【図６】本発明の実施の形態にかかる浴室用引戸の正面図である。
【図７】第２実施の形態にかかる走行ガイドと障子の縦框との取り付け状態を分解して示す斜視図である。
【図８】第２実施の形態にかかる浴室用引戸の一部を示す図であり、（ａ）は走行ガイドがレールに係合した状態を示す正面図である。（ｂ）は走行ガイドとレールとの係合が外れた状態を示す正面図である。
【符号の説明】
１    浴室用引戸
３    障子
５    下枠
７    上枠
９    走行ガイド
１１  縦框
１３  上枠の溝
１５  上レール
１７  脱衣室側の溝壁
１９  浴室側の溝壁
２９  操作部材
３５  ばね
４７  操作部材
５５  溝
５７  下レール
６１  戸車走行部
【図１】
2005009076.tif 000003
【図２】
2005009076.tif 000004
【図３】
2005009076.tif 000005
【図４】
2005009076.tif 000006
【図５】
2005009076.tif 000007
【図６】
2005009076.tif 000008
【図７】
2005009076.tif 000009
【図８】
2005009076.tif 000010